(57)【要約】【課題】主信号系に障害が発生する前に障害の予兆を検知でき、その障害の予兆に基づいて運用系／非運用系の切替えをおこなうことで、主信号の影響をより短時間に抑える。【解決手段】運用系と非運用系の冗長構成を有する伝送システムにおいて、ＩＴＵ−Ｔ（Ｙ１７３１）で標準化されているＣＣＭフレームを伝送装置間で伝送するにあたり、前段の伝送装置においてＣＣＭフレームに送信時刻を挿入する。自伝送装置においては、送信時刻が挿入されたＣＣＭフレームを当該前段の伝送装置から受信する際、その受信時刻を検出するとともに、ＣＣＭフレームから送信時刻を抽出する。その受信時刻および送信時刻に基づいて遅延量（＝受信時刻−送信時刻）を算出し、当該遅延量に基づいて、運用系と非運用系の切替えを実行するか否かを決定する。【選択図】図７
2017220832.tif 000002
【特許請求の範囲】
【請求項１】
第１の伝送装置と第２の伝送装置とを含み、運用系と非運用系の冗長構成を有する伝送システムであって、
前記第１の伝送装置が、
生成された監視フレームに第１の時刻を挿入する挿入部と、
前記第１の時刻が挿入された監視フレームを前記第２の伝送装置へ送信する送信部と、
を有し、
前記第２の伝送装置が、
前記第１の時刻が挿入された監視フレームを前記第１の伝送装置から受信する受信部と、
前記監視フレームを受信した第２の時刻を検出する検出部と、
前記監視フレームから前記第１の時刻を抽出する抽出部と、
前記第１の時刻と前記第２の時刻とに基づいて、遅延量を算出する算出部と、
前記遅延量に基づいて、前記運用系と前記非運用系の切替えを実行するか否かを決定する決定部と、
を有することを特徴とする伝送システム。
【請求項２】
前記第２の伝送装置の前記決定部は、前記遅延量が所定のしきい値を超えた場合に、前記運用系と前記非運用系の切替えを実行することを決定することを特徴とする請求項１に記載の伝送システム。
【請求項３】
前記第２の伝送装置は、前記遅延量に関する情報を記憶する記憶部を有し、
前記第２の伝送装置の前記決定部は、前記記憶部に記憶された遅延量に関する情報に基づいて、前記遅延量が所定のしきい値を超えた回数が所定回に達した場合に、前記運用系と前記非運用系の切替えを実行することを決定することを特徴とする請求項１に記載の伝送システム。
【請求項４】
前記第２の伝送装置は、前記遅延量に関する情報を記憶する記憶部を有し、
前記第２の伝送装置の前記決定部は、前記記憶部に記憶された遅延量に関する情報に基づいて、前記遅延量が所定のしきい値を超えた回数が連続して所定回に達した場合に、前記運用系と前記非運用系の切替えを実行することを決定することを特徴とする請求項１に記載の伝送システム。
【請求項５】
第１の伝送装置と第２の伝送装置と第３の伝送装置とを含み、運用系と非運用系の冗長構成を有する伝送システムであって、
前記第１の伝送装置が、
生成された監視フレームに第１の時刻を挿入する挿入部と、
前記第１の時刻が挿入された監視フレームを前記第２の伝送装置へ送信する送信部と、
を有し、
前記第２の伝送装置が、
前記第１の時刻が挿入された監視フレームを前記第１の伝送装置から受信する受信部と、
前記監視フレームを受信した第２の時刻を検出する検出部と、
前記監視フレームから前記第１の時刻を抽出する抽出部と、
前記第１の時刻と前記第２の時刻とに基づいて、遅延量を算出する算出部と、
前記遅延量に基づいて、前記運用系と前記非運用系の切替えを実行するか否かを決定する決定部と、
前記監視フレームに第３の時刻を挿入する挿入部と、
前記第３の時刻が挿入された監視フレームを前記第３の伝送装置へ送信する送信部と、
を有し、
前記第３の伝送装置が、
前記第３の時刻が挿入された監視フレームを前記第２の伝送装置から受信する受信部と、
前記監視フレームを受信した第４の時刻を検出する検出部と、
前記監視フレームから前記第３の時刻を抽出する抽出部と、
前記第３の時刻と前記第４の時刻とに基づいて、遅延量を算出する算出部と、
前記遅延量に基づいて、前記運用系と前記非運用系の切替えを実行するか否かを決定する決定部と、
を有することを特徴とする伝送システム。
【請求項６】
前記監視フレームは、ＣＣＭ（Ｃｏｎｔｉｎｕｉｔｙ  Ｃｈｅｃｋ  Ｍｅｓｓａｇｅｓ）フレームであることを特徴とする請求項１〜５のいずれか一つに記載の伝送システム。
【請求項７】
運用系と非運用系の冗長構成を有する伝送システムにおける伝送装置であって、
前段の伝送装置において第１の時刻が挿入された監視フレームを当該前段の伝送装置から受信する受信部と、
前記監視フレームを受信した第２の時刻を検出する検出部と、
前記監視フレームから前記第１の時刻を抽出する抽出部と、
前記第１の時刻と前記第２の時刻とに基づいて、遅延量を算出する算出部と、
前記遅延量に基づいて、前記運用系と前記非運用系の切替えを実行するか否かを決定する決定部と、
を有することを特徴とする伝送装置。
【請求項８】
運用系と非運用系の冗長構成を有する伝送システムにおいて伝送装置間で監視フレームを伝送する伝送方法であって、
前記伝送装置のコンピュータが、
前段の伝送装置において第１の時刻が挿入された監視フレームを当該前段の伝送装置から受信し、
前記監視フレームを受信した第２の時刻を検出し、
前記監視フレームから前記第１の時刻を抽出し、
前記第１の時刻と前記第２の時刻とに基づいて、遅延量を算出し、
前記遅延量に基づいて、前記運用系と前記非運用系の切替えを実行するか否かを決定することを特徴とする伝送方法。
【発明の詳細な説明】
【技術分野】
【０００１】
本発明は、伝送システム、伝送装置および伝送方法に関する。
【背景技術】
【０００２】
従来、Ｌ２スイッチなどを用いた伝送システムにおいて、運用系と非運用系の冗長構成を有し、運用系に異常や故障などの障害が発生した場合に、その運用系と非運用系を切替えることによって、継続的な主信号未疎通状態を回避することができる技術がある。
【０００３】
また、先行技術として、回線の分散値／ビット誤り率の値の状態を監視し、所定の値を超えたら、正常な値を有する回線へ切替えるという、光線路設備の予防保全に関する技術がある（たとえば、下記特許文献１参照。）。
【先行技術文献】
【特許文献】
【０００４】
【特許文献１】特開２０１５−１１５８６３号公報
【発明の概要】
【発明が解決しようとする課題】
【０００５】
しかしながら、上記従来技術にあっては、異常や故障を検出した後に運用系／非運用系の切替えをおこなうため、異常や故障の検出後、切替えが完了するまでの間の時間において、主信号影響が大きく発生してしまう虞れがあるという問題点があった。
【０００６】
また、上記先行技術にあっては、伝送路の劣化などの障害の監視にとどまり、たとえば伝送装置のメモリの異常や故障などの障害にともなう、伝送システムのネットワーク全体の監視をすることができず、万全の予防保全をすることはできないという問題点があった。
【０００７】
一つの側面では、本発明は、主信号の影響をより短時間に抑えることを目的とする。
【課題を解決するための手段】
【０００８】
本発明の一態様によれば、運用系と非運用系の冗長構成を有する伝送システムにおいて伝送装置間で監視フレームを伝送するにあたり、前段の伝送装置において第１の時刻が挿入された監視フレームを当該前段の伝送装置から受信し、監視フレームを受信した第２の時刻を検出し、監視フレームから第１の時刻を抽出し、第１の時刻と第２の時刻とに基づいて算出した遅延量に基づいて、運用系と非運用系の切替えを実行するか否かを決定する伝送システム、伝送装置および伝送方法が提案される。
【発明の効果】
【０００９】
本発明の一側面によれば、主信号の影響をより短時間に抑えることができるという効果を奏する。
【図面の簡単な説明】
【００１０】
【図１】図１は、実施の形態にかかる伝送システムの構成の一例を示す説明図である。
【図２】図２は、実施の形態にかかる伝送装置のハードウエア構成の一例を示す説明図である。
【図３Ａ】図３Ａは、ＣＣＭフレームのフォーマット構成の一例を示す説明図である。
【図３Ｂ】図３Ｂは、ＣＣＭフレームのＴＬＶのタイプの一例を示す説明図である。
【図３Ｃ】図３Ｃは、ＣＣＭフレームのＴＬＶのフォーマットの一例を示す説明図である。
【図４】図４は、実施の形態にかかる伝送装置の機能的構成の一例を示す説明図である。
【図５】図５は、実施の形態にかかる伝送装置の機能的構成の別の一例を示す説明図である。
【図６】図６は、実施の形態にかかる伝送装置の機能的構成の別の一例を示す説明図である。
【図７】図７は、実施の形態にかかる伝送システムにおける遅延量算出の一例を示す説明図である。
【図８】図８は、実施の形態にかかる伝送装置におけるＣＣＭの送信処理の一例を示すフローチャートである。
【図９】図９は、実施の形態にかかる伝送装置におけるＣＣＭの受信処理の一例を示すフローチャートである。
【図１０】図１０は、実施の形態にかかる伝送装置におけるＣＣＭの送信処理の別の一例を示すフローチャートである。
【発明を実施するための形態】
【００１１】
以下に添付図面を参照して、本発明にかかる伝送システム、伝送装置および伝送方法の実施の形態を詳細に説明する。
【００１２】
（実施の形態）
（伝送システムの構成）
ＩＰネットワークを利用したネットワーク網、たとえば、イーサネット（登録商標）では、複数の伝送装置を収容し、伝送装置相互間の導通性のチェックや、ネットワーク上の故障箇所を特定するなどといった保守機能を有している。この保守機能を備えた技術として、たとえば、イーサネットＯＡＭ（Ｏｐｅｒａｔｉｏｎ  Ａｄｍｉｎｉｓｔｒａｔｉｏｎ  Ｍａｎａｇｅｍｅｎｔ）がある。イーサネットＯＡＭは、たとえば、ＩＴＵ−Ｔ（Ｙ１７３１）、あるいはＩＥＥＥ（８０２．１ａｇ）などで標準化されている。
【００１３】
イーサネットＯＡＭには、たとえば、伝送装置相互間の導通性を確認することを主な目的とし、定期的にＣＣＭ（Ｃｏｎｔｉｎｕｉｔｙ  Ｃｈｅｃｋ  Ｍｅｓｓａｇｅｓ）フレームを送受信する。それにより、障害を迅速に検出する連続性チェック機能を備えている。この連続性チェック機能は、具体的には、伝送装置が対向側の伝送装置へＣＣＭフレームを定期的に送信する。そして、対向側の伝送装置は、ＣＣＭフレームが定期的に受信できなかった場合に、伝送装置と対向側の伝送装置との間の障害（導通断（ＬＯＣ：Ｌｏｓｓ  ｏｆ  Ｃｏｎｎｅｃｔｉｖｉｔｙ）発生を検出することができる。
【００１４】
図１は、実施の形態にかかる伝送システムの構成の一例を示す説明図である。図１において、伝送システム１００は、ＰＴＮ（Ｐａｃｋｅｔ  ｔｒａｎｓｐｏｒｔ  ｎｅｔｗａｏｒｋｓ）１０１〜１０４を有している。そのうち、ＰＴＮ１０２は運用系のＰＴＮであり、ＰＴＮ１０４は、非運用系のＰＴＮである。現用のパスを構成するのが運用系であり、予備のパスを構成するのが非運用系である。
【００１５】
また、図１において、ＰＴＮ１０１〜１０４は、それぞれ伝送装置およびスイッチ（ＳＷ）を備えている。具体的には、ＰＴＮ１０１は、伝送装置１０５、１０７、１１１およびＳＷ１１５を備えており、ＰＴＮ（運用系）１０２は、伝送装置１０８、１０９およびＳＷ１１７を備えており、ＰＴＮ１０３は、伝送装置１０６、１１０、１１４およびＳＷ１１６を備えており、ＰＴＮ（非運用系）１０４は、伝送装置１１２、１１３およびＳＷ１１８を備えている。
【００１６】
伝送装置１０５および伝送装置１０６は、ＣＣＭを送受信するＭＥＰ（Ｍａｉｎｔｅｎａｎｃｅ  Ｅｎｄ  Ｐｏｉｎｔ）の伝送装置であり、伝送装置１０５と伝送装置１０６とは対向する伝送装置であり、伝送装置１０５が、ＣＣＭを送信し、伝送装置１０６が、そのＣＣＭを受信する。その他の伝送装置１０７〜１１４は、そのＣＣＭを通過させるＭＩＰ（Ｍａｉｎｔｅｎａｎｃｅ  Ｉｎｔｅｒｍｅｄｉａｔｅ  Ｐｏｉｎｔ）の伝送装置である。
【００１７】
「伝送装置１０５（ＭＥＰ）」→「ＳＷ１１５」→「伝送装置１０７（ＭＩＰ）」→「伝送装置１０８（ＭＩＰ）」→「ＳＷ１１７」→「伝送装置１０９（ＭＩＰ）」→「伝送装置１１０（ＭＩＰ）」→「ＳＷ１１６」→「伝送装置１０６（ＭＥＰ）」によって運用系の伝送路を構成している。また、ＳＷ１１５からＳＷ１１６までの、「伝送装置１１１（ＭＩＰ）」→「伝送装置１１２（ＭＩＰ）」→「ＳＷ１１８」→「伝送装置１１３（ＭＩＰ）」→「伝送装置１１４（ＭＩＰ）」によって非運用系の伝送路を構成している。
【００１８】
また、伝送システムは、ＯｐＳ（Ｏｐｅｒａｔｉｏｎ  Ｓｙｓｔｅｍ）装置１２０を有している。ＯｐＳ装置１２０は、伝送装置間の時刻同期や、伝送装置間にまたがった障害予兆による運用系の切替えをおこなう。ＯｐＳ（Ｏｐｅｒａｔｉｏｎ  Ｓｙｓｔｅｍ）装置１２０の詳細については、後述する。
【００１９】
（伝送装置のハードウエア構成）
図２は、実施の形態にかかる伝送装置のハードウエア構成の一例を示す説明図である。図２において、伝送装置１０５〜１１４は、回線カード２００を備えている。回線カード２００は、ＣＰＵ（Ｃｅｎｔｒａｌ  Ｐｒｏｃｅｓｓｉｎｇ  Ｕｎｉｔ）２０１と、Ｌ２スイッチ２０２と、入力インタフェース２０３と、出力インタフェース２０４と、を有している。さらに、回線カード２００は、図示を省略するＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）などの各種メモリを有していてもよい。
【００２０】
ＣＰＵ（Ｃｅｎｔｒａｌ  Ｐｒｏｃｅｓｓｉｎｇ  Ｕｎｉｔ）２０１は、伝送装置１０５〜１１４全体を制御するとともに、図示を省略するＲＯＭに格納されたＣＣＭ処理プログラムを読み出してＣＣＭ処理機能を実行する。
【００２１】
Ｌ２スイッチ２０２は、入力インタフェース２０３と出力インタフェース２０４とを切替接続するとともに、レイヤ２レベルの各種処理を実行する。入力インタフェース２０３は、ネットワーク上のケーブルと接続して伝送システム内の他の伝送装置からのＣＣＭフレームなどを入力する。出力インタフェース２０４は、ケーブルと接続して伝送システム内の他の伝送装置に対してＣＣＭフレームなどを出力する。
【００２２】
また、図示を省略するＲＯＭには、伝送プログラムなどの各種プログラムが格納される。また、図示を省略するＲＡＭは、算出された遅延量に関する情報を含む各種情報を記憶することができる。
【００２３】
（ＣＣＭフレームの構成）
図３Ａは、ＣＣＭフレームのフォーマット構成の一例を示す説明図である。図３Ａに示すように、たとえばＩＴＵ−Ｔ（Ｙ１７３１）で標準化されているＣＣＭフレームは、「ＤＡ」と、「ＳＡ」と、「ＶＬＡＮ  ｈｅａｄｅｒ」と、「Ｅｔｈｅｒ  Ｔｙｐｅ」と、「ＭＥＬ」と、「Ｖｅｒｓｉｏｎ」と、「Ｏｐｃｏｄｅ」と、「ＲＤＩ  Ｂｉｔ」と、「Ｐｅｒｉｏｄ」と、「ＴＬＶ  Ｏｆｆｓｅｔ」と、「Ａｌｌ‘０ｘ００’」と、「ＭＥＰ  ＩＤ」と、「ＭＥＧ  ＩＤ」と、「ＴｘＦＣｆ」と、「ＲｘＦＣｂ」と、「ＴｘＦＣｂ」と、「Ｒｅｓｅｒｖｅｄ」と、「ＴＬＶ  ｔｙｐｅ」と、「ＴＬＶ  ｌｅｎｇｔｈ」と、「Ｖａｌｕｅ」と、「Ｅｎｄ  ＴＬＶ」と、「ＦＣＳ」と、を有する。
【００２４】
「ＤＡ（Ｍｕｌｔｉｃａｓｔ  ｏｒ  Ｕｎｉｃａｓｔ）」は、マルチキャストまたはユニキャストの送信先のアドレスを格納する領域である。「ＳＡ」は、自装置のＭＡＣアドレスを格納する領域である。「ＶＬＡＮ  ｈｅａｄｅｒ」はヘッダを格納する領域である。「Ｅｔｈｅｒ  Ｔｙｐｅ（ＥＴＨ  ＯＡＭ）」は、イーサネット種別としてＯＡＭを格納する領域である。「ＭＥＬ」は、送信元のＭＥＰのＭＥＧ（Ｍａｉｎｔｅｎａｎｃｅ  Ｅｎｔｉｔｙ  Ｇｒｏｕｐ）レベルを格納する領域である。ＭＥＧは、ＣＣＭフレームを使用して保守をおこなう一つの区間を示すＭＥ（Ｍａｉｎｔｅｎａｎｃｅ  Ｅｎｔｉｔｙ）の集合体を示す。
【００２５】
「Ｖｅｒｓｉｏｎ」は、受信廃棄すべきか否かを識別するデータを格納する領域である。「Ｏｐｃｏｄｅ」は、命令を識別するオペコードを格納する領域である。「ＲＤＩ  Ｂｉｔ」は、障害内容を識別するビット列のＲＤＩ情報を格納する領域である。「Ｐｅｒｉｏｄ」は、ＣＣＭフレームの送受信に使用する送受信間隔を格納する領域である。「ＴＬＶ  Ｏｆｆｓｅｔ」は、ＣＣＭフレームのＴｙｐｅ、Ｌｅｎｇｔｈ、Ｖａｌｕｅのオフセット値を格納する領域である。「Ａｌｌ‘０ｘ００’」は、シーケンス番号が未使用の状態を格納する領域である。「ＭＥＰ  ＩＤ」は、送信元のＭＥＰを識別するＩＤを格納する領域である。また、「ＭＥＧ  ＩＤ」は、送信元のＭＥＰのＭＥＧを識別するＩＤを格納する領域である。
【００２６】
「ＴｘＦＣｆ」は、ＣＣＭフレーム送信時のローカルカウンタを格納する領域である。「ＲｘＦＣｂ」は、対向ＭＥＰからの最終ＣＣＭフレームレセプション時のローカルカウンタを格納する領域である。「ＴｘＦＣｂ」は、対向ＭＥＰからのＣＣＭフレームを受信した最終ＴｘＦＣｆ値を格納する領域である。「Ｒｅｓｅｒｖｅｄ」はリザーブ領域である。なお、図中の「ＴｘＦＣｆ」、「ＲｘＦＣｂ」、「ＴｘＦＣｂ」、「Ｒｅｓｅｒｖｅｄ」において、「（Ａｌｌ  ‘０ｘ００’）」は未使用であることを示している。
【００２７】
「ＴＬＶ  ｔｙｐｅ」は、リザーブ領域内のフレーム種別を格納する領域である。「ＴＬＶ  ｌｅｎｇｔｈ」は、リザーブ領域内のフレームサイズを格納する領域である。「Ｖａｌｕｅ」は、リザーブ領域内の値を格納する領域である。「ＦＣＳ」は、エラーを検出するためのチェックサムを使用して誤り検出するための領域である。
【００２８】
図３Ｂは、ＣＣＭフレームのＴＬＶのタイプの一例を示す説明図である。また、図３Ｃは、ＣＣＭフレームのＴＬＶのフォーマットの一例を示す説明図である。図３Ｂに示したように、各伝送装置１０５、１０７〜１１４は、「Ｒｅｓｅｒｖｅｄ」のＴｙｐｅ  Ｖａｌｕｅ（ＩＴＵ−Ｔであれば、『３３−６６』）を用いて、そのＶａｌｕｅの領域に、後述する送信時刻に関する情報を格納する。
【００２９】
格納される送信時刻に関する情報は、たとえば、日付および時刻の情報などからなり、時刻は、たとえばミリ秒までの情報であることが望ましい。ただし、日付の情報については含めなくてもよい。
【００３０】
（伝送装置の機能的構成）
図４〜図６は、実施の形態にかかる伝送装置の機能的構成の一例を示す説明図である。図４は、伝送装置（ＭＥＰ）１０５の機能的構成の一例を示している。図４において、伝送装置（ＭＥＰ）１０５は、ＣＣＭフレームの送信処理をおこなう送信処理部４０２と、装置内の管理をおこなう装置管理部４０３とを備えている。伝送装置（ＭＥＰ）１０５は、受信処理部も備えていてもよいが、図４においては、受信処理部についての図示およびその説明は省略する。
【００３１】
送信処理部４０２は、ＣＣＭフレーム生成部４１０と、時刻挿入部４１１と、ＣＣＭフレーム送信部４１２を有している。装置管理部４０３は、装置内運用系切替部４３１と、装置内時刻管理部４３２と、を有している。また、図４において、伝送装置（ＭＥＰ）１０５に接続されるＯｐＳ装置１２０は、装置間運用系切替部４４１と、装置間時刻管理部４４２と、を有している。
【００３２】
ＣＣＭフレーム生成部４１０は、たとえば図３Ａに示したフォーマットのＣＣＭフレームを生成する。ＣＣＭフレーム生成部４１０は、具体的には、たとえば図２に示したＣＰＵ２０１などによってその機能を実現することができる。
【００３３】
時刻挿入部４１１は、ＣＣＭフレーム生成部４１０において生成したＣＣＭフレームを次段の伝送装置（具体的には、たとえば図１における伝送装置（ＭＩＰ）１０７）へ送信する際の時刻を装置内時刻管理部４３２から取得して、当該時刻をＣＣＭフレームのＴＬＶ  Ｖａｌｕｅに挿入（格納）する。このＣＣＭフレームが実際に送信される時刻は、当該時刻よりも（当該時刻をＣＣＭフレームに挿入する時間の分だけ）後になるが、この時刻を説明の便宜上「送信時刻」とする。送信時刻は、各伝送装置において同じ基準のタイミングで取得することが望ましい。時刻挿入部４１１は、具体的には、たとえば図２に示したＣＰＵ２０１などによってその機能を実現することができる。
【００３４】
ＣＣＭフレーム送信部４１２は、時刻挿入部４１１によって送信時刻が挿入されたＣＣＭフレームを次段の伝送装置（図１における伝送装置（ＭＩＰ）１０７）へ送信する。ＣＣＭフレーム送信部４１２は、具体的には、たとえば図２に示した出力インタフェース２０４などによってその機能を実現することができる。
【００３５】
装置内運用系切替部４３１は、伝送装置（ＭＥＰ）１０５内において、図示を省略するスイッチなどを制御して、装置内における運用系の切替制御をおこなう。装置内運用系切替部４３１は、具体的には、たとえば図２に示したＣＰＵ２０１などによってその機能を実現することができる。
【００３６】
装置内時刻管理部４３２は、ＯｐＳ装置１２０の装置間時刻管理部４４２と同期して、伝送装置（ＭＥＰ）１０５内における各部の時刻を管理する。そして、時刻挿入部４１１からの時刻取得要求に対して、要求された時点における時刻を時刻挿入部４１１へ渡す。装置内時刻管理部４３２は、具体的には、たとえば図２に示したＣＰＵ２０１などによってその機能を実現することができる。
【００３７】
ＯｐＳ装置１２０の装置間運用系切替部４４１は、伝送システム１００の各伝送装置に対して、ＳＷ１１５〜１１８や装置内運用系切替部４３１を含む各伝送装置内の装置内運用系切替部４３１などを制御して、各伝送装置間にまたがった障害予兆による、伝送システム１００全体における運用系の切替制御をおこなう。装置間運用系切替部４４１は、具体的にはＯｐＳ装置１２０が備える、図示を省略するＣＰＵなどによってその機能を実現することができる。
【００３８】
ＯｐＳ装置１２０の装置間時刻管理部４４２は、装置内時刻管理部４３２を含む各伝送装置内の装置内時刻管理装置と同期して、伝送システム１００内の時刻の管理をおこなう。したがって、装置内時刻管理部４３２を含む各伝送装置における装置内時刻管理部は、この装置間時刻管理部４４２から時刻情報を取得し、装置内時刻管理部４３２の時刻とすることにより、伝送装置間の時刻の同期を図ることができる。装置間時刻管理部４４２は、具体的にはＯｐＳ装置１２０が備える、図示を省略するＣＰＵなどによってその機能を実現することができる。
【００３９】
図５は、伝送装置（ＭＥＰ）１０６の機能的構成の一例を示している。図５において、伝送装置（ＭＥＰ）１０６は、ＣＣＭフレームの受信処理をおこなう受信処理部５０１と、装置内の管理をおこなう装置管理部５０３とを備えている。伝送装置（ＭＥＰ）１０６は、送信処理部も備えていてもよいが、図５においては、送信処理部についての図示およびその説明は省略する。
【００４０】
受信処理装置５０１は、ＣＣＭフレーム受信部５１１と、受信時刻検出部５１２と、挿入時刻抽出部５１３と、遅延量算出部５１４と、遅延量情報記憶部５１５と、障害予兆判断部５１６と、を有している。
【００４１】
ＣＣＭフレーム受信部５１１は、前段の伝送装置（図１における伝送装置（ＭＩＰ）１１０）において送信時刻が挿入されたＣＣＭフレームを当該前段の伝送装置から受信する。ＣＣＭフレーム受信部５１１は、受信パケットの中から、ＣＣＭフレームを抽出する。ＣＣＭフレーム受信部５１１は、具体的には、たとえば図２に示した入力インタフェース２０３などによってその機能を実現することができる。
【００４２】
受信時刻検出部５１２は、ＣＣＭフレームを当該前段の伝送装置（伝送装置（ＭＩＰ）１１０）から受信した受信時刻を検出する。受信時刻検出部５１２は、たとえば、ＣＣＭフレームを受信した時刻を装置内時刻管理部５３２から取得することにより、受信時刻を検出する。受信した受信時刻とは、ＣＣＭフレームが伝送装置（ＭＥＰ）１０６に到着した到着時刻であってもよく、ＣＣＭフレームを受信パケットの中から抽出した時刻であってもよい。この時刻を説明の便宜上「受信時刻」とする。受信時刻は、各伝送装置において同じ基準のタイミングで取得することが望ましい。受信時刻検出部５１２は、具体的には、たとえば図２に示したＣＰＵ２０１などによってその機能を実現することができる。
【００４３】
挿入時刻抽出部５１３は、伝送装置（伝送装置（ＭＩＰ）１１０）から受信したＣＣＭフレームから、当該伝送装置（伝送装置（ＭＩＰ）１１０）において、たとえばＣＣＣフォーマットのＴＬＶ  Ｖａｌｕｅに挿入されている送信時刻を抽出する。挿入時刻抽出部５１３は、具体的には、たとえば図２に示したＣＰＵ２０１などによってその機能を実現することができる。
【００４４】
遅延量算出部５１４は、挿入時刻抽出部５１３によって抽出された送信時刻と、受信時刻検出部５１２によって検出された受信時刻とに基づいて、遅延量を算出する。遅延量は、たとえば受信時刻から送信時刻を減算する（遅延時刻＝受信時刻−送信時刻）ことにより算出する。遅延量算出部５１４は、具体的には、たとえば図２に示したＣＰＵ２０１などによってその機能を実現することができる。
【００４５】
遅延量情報記憶部５１５は、遅延量算出部５１４によって算出された遅延量に関する情報を記憶する。遅延量情報記憶部５１５は、たとえば、図示を省略するＲＡＭなどによってその機能を実現する。
【００４６】
障害予兆判断部５１６は、遅延量算出部５１４によって算出され、遅延量情報記憶部５１５に記憶された遅延量に基づいて、運用系と非運用系の切替えを実行するか否かを決定する。障害予兆判断部５１６は、具体的には、たとえば図２に示したＣＰＵ２０１などによってその機能を実現することができる。
【００４７】
障害予兆判断部５１６は、具体的には、遅延量が所定のしきい値を超えた場合に、運用系と非運用系の切替えを実行することを決定してもよい。すなわち、値延量が１回でも所定のしきい値を超えた場合には、運用系と非運用系の切替えを実行するものとする。
【００４８】
また、障害予兆判断部５１６は、遅延量情報記憶部５１５に記憶されている遅延量に関する情報に基づいて、遅延量が所定のしきい値を超えた回数が所定回に達した場合に、運用系と非運用系の切替えを実行することを決定してもよい。すなわち、たとえば所定回数が３回である場合は、遅延量情報記憶部５１５に記憶されている情報にかかる遅延量が所定のしきい値を１回あるいは２回超えていても、運用系と非運用系の切替えを実行せず、３回目に所定のしきい値を超えてはじめて運用系と非運用系の切替えを実行するように決定してもよい。
【００４９】
この場合に、遅延量が所定のしきい値を１回あるいは２回超えていても、その後、ＣＣＭフレームを所定数受信した結果、連続してその遅延量が所定の値以下であった場合には、そのカウントされている１回あるいは２回はリセットされるようにしてもよい。
【００５０】
また、障害予兆判断部５１６は、遅延量情報記憶部５１５に記憶されている遅延量に関する情報に基づいて、遅延量が所定のしきい値を超えた回数が連続して所定回に達した場合に、運用系と非運用系の切替えを実行することを決定してもよい。すなわち、所定回数が３回である場合は、遅延量情報記憶部５１５に記憶されている情報にかかる遅延量が所定のしきい値を１回あるいは２回連続して超えていても、３回目に所定のしきい値を超えなかったら、運用系と非運用系の切替えを実行せず、もう一度、１回目からカウントし直すようにしてもよい。そして、３回連続してしきい値を超えた場合にはじめて運用系と非運用系の切替えを実行することを決定する。
【００５１】
障害予兆判断部５１６は、これらの方法を組み合わせるようにしてもよい。具体的には、たとえば、しきい値の値を複数設けて、第１のしきい値であれば連続して複数回超えた場合に、運用系と非運用系の切替えを実行することを決定する。第１のしきい値よりも遅延量が大きい第２のしきい値の場合には、複数回超えた場合に運用系と非運用系の切替えを実行することを決定する。第２のしきい値よりも遅延量がさらに大きい第３のしきい値の場合には、１回でも超えれば、運用系と非運用系の切替えを実行することを決定するようにしてもよい。
【００５２】
また、これらのしきい値は、伝送装置ごとにそれぞれ異なる独自のしきい値を設定してもよい。たとえば高い信頼性が要求される箇所における伝送装置においてはしきい値を他の伝送装置よりも低く設定するようにしてもよい。また、これらのしきい値は、たとえば伝送装置の稼働時間などによっても可変にすることができる。たとえば、稼働時間が長くなれば伝送装置の信頼性も低下してくるので、しきい値を低く設定するなどである。しきい値が低くなれば、運用系と非運用系の切替えが実行されやすくなるため、より高い信頼性が要求される場合は、当該しきい値を低く設定するとよい。
【００５３】
いずれにせよ、障害予兆判断部５１６は、遅延量算出部５１４によって算出され、あるいは、遅延量情報記憶部５１５に記憶された遅延量の変動を監視することで、当該変動に基づく障害の予兆を察知し、運用系と非運用系の切替えを実行するか否かを決定するものである。
【００５４】
装置管理部５０３は、装置内運用系切替部５３１と、装置内時刻管理部５３２と、を有している。ここで、装置内運用系切替部５３１は、障害予兆判断部５１６による判断結果に基づいて、伝送装置（ＭＥＰ）１０６内において、図示を省略するスイッチなどを制御して、装置内における運用系の切替制御をおこなう。装置内運用系切替部５３１は、具体的には、たとえば図２に示したＣＰＵ２０１などによってその機能を実現することができる。
【００５５】
また、装置内時刻管理部５３２は、ＯｐＳ装置１２０の装置間時刻管理部５４２と同期して、伝送装置（ＭＥＰ）１０６内における各部の時刻を管理する。そして、受信時刻検出部５１２からの時刻取得要求に対して、要求された時点における時刻を受信時刻検出部５１２へ渡す。装置内時刻管理部５３２は、具体的には、たとえば図２に示したＣＰＵ２０１などによってその機能を実現することができる。
【００５６】
また、伝送装置（ＭＥＰ）１０６に接続されるＯｐＳ装置１２０は、装置間運用系切替部５４１と、装置間時刻管理部５４２と、を有している。ＯｐＳ装置１２０の装置間運用系切替部５４１およびＯｐＳ装置１２０の装置間時刻管理部５４２は、図４に示した、ＯｐＳ装置１２０の装置間運用系切替部４４１およびＯｐＳ装置１２０の装置間時刻管理部４４２と同じ構成および機能を有するものである。したがって、その説明は省略する。
【００５７】
図６は、伝送装置（ＭＩＰ）１０７〜１１４の機能的構成の一例を示している。図６において、伝送装置（ＭＩＰ）１０７〜１１４は、ＣＣＭフレームの受信処理をおこなう受信処理部６０１と、ＣＣＭフレームの送信処理をおこなう送信処理部６０２と、装置内の管理をおこなう装置管理部６０３とを有する。
【００５８】
受信処理装置６０１は、ＣＣＭフレーム受信部６１１と、受信時刻検出部６１２と、挿入時刻抽出部６１３と、遅延量算出部６１４と、遅延量情報記憶部６１５と、障害予兆判断部６１６と、を有している。ＣＣＭフレーム受信部６１１、受信時刻検出部６１２、挿入時刻抽出部６１３、遅延量算出部６１４、遅延量情報記憶部６１５、障害予兆判断部６１６は、図５に示した、ＣＣＭフレーム受信部５１１、受信時刻検出部５１２、挿入時刻抽出部５１３、遅延量算出部５１４、遅延量情報記憶部５１５、障害予兆判断部５１６と、それぞれ同じ構成および機能を有する。したがって、その説明は省略する。
【００５９】
送信処理部６０２は、時刻挿入部６２１と、ＣＣＭフレーム送信部６２２を有している。時刻挿入部６２１は、ＣＣＭフレーム受信部６１１において受信したＣＣＭフレームを次段の伝送装置へ送信する際の時刻（送信時刻）を装置内時刻管理部６３２から取得して、当該送信時刻をＣＣＭフレームのＴＬＶ  Ｖａｌｕｅに挿入する。
【００６０】
その際、すでに前段の伝送装置において挿入されていた送信時刻に上書きするように挿入する。したがって、前段の伝送装置において挿入されていた送信時刻は消去される。あるいは、すでに前段の伝送装置において挿入されていた送信時刻を残したまま、送信時刻を追加するようにしてもよい。送信時刻は、各伝送装置（ＭＩＰ）１０７〜１１４において同じ基準のタイミングで取得することが望ましい。
【００６１】
また、時刻挿入部６２１は、送信時刻に代えて、受信時刻検出部６１２において検出した受信時刻をＣＣＭフレームに挿入するようにしてもよい。そうすることによって、装置内時刻管理部６３２からあらたに送信時刻を取得する処理（手間）を省くことができる。
【００６２】
また、時刻挿入部６２１は、送信時刻および受信時刻の両方をＣＣＭフレームに挿入するようにしてもよい。このように両方の時刻をＣＣＭフレームに挿入することによって、伝送装置（ＭＩＰ）１０７〜１１４内における処理の異常（所定時間以上、当該処理に時間がかかっていないか）のチェックもあわせておこなうことができる。また、送信時刻または受信時刻の取得エラーがあった場合に、その取得エラーのチェックをすることができる。
【００６３】
時刻挿入部６２１は、具体的には、たとえば図２に示したＣＰＵ２０１などによってその機能を実現することができる。
【００６４】
ＣＣＭフレーム送信部６２２は、図４に示したＣＣＭフレーム送信部４１２と同じ構成および機能を有している。したがって、その説明は省略する。
【００６５】
また、装置管理部６０３の装置内運用系切替部６３１および装置内時刻管理部６３２は、図４に示した装置管理部４０３の装置内運用系切替部４３１および装置内時刻管理部４３２、図５に示した装置管理部５０３の装置内運用系切替部５３１および装置内時刻管理部５３２と同じ構成および機能を有するものである。したがって、その説明は省略する。
【００６６】
また、伝送装置（ＭＩＰ）１０７〜１１４に接続されるＯｐＳ装置１２０は、装置間運用系切替部６４１と、装置間時刻管理部６４２と、を有している。ＯｐＳ装置１２０の装置間運用系切替部６４１およびＯｐＳ装置１２０の装置間時刻管理部６４２は、図４に示したＯｐＳ装置１２０の装置間運用系切替部４４１およびＯｐＳ装置１２０の装置間時刻管理部４４２、図５に示したＯｐＳ装置１２０の装置間運用系切替部５４１およびＯｐＳ装置１２０の装置間時刻管理部５４２と同じ構成および機能を有するものである。したがって、その説明は省略する。
【００６７】
（遅延量の算出方法）
図７は、実施の形態にかかる伝送システムにおける遅延量算出の一例を示す説明図である。図７に示すように、伝送装置（ＭＥＰ）１０５−伝送装置（ＭＩＰ）１０７（伝送装置（ＭＩＰ）１１１）の間を区間（ａ）とする。同様に、伝送装置（ＭＩＰ）１０７（伝送装置（ＭＩＰ）１１１）−伝送装置（ＭＩＰ）１０８（伝送装置（ＭＩＰ）１１２）の間を区間（ｂ）とし、伝送装置（ＭＩＰ）１０８（伝送装置（ＭＩＰ）１１２）−伝送装置（ＭＩＰ）１０９（伝送装置（ＭＩＰ）１１３）の間を区間（ｃ）とし、伝送装置（ＭＩＰ）１０９（伝送装置（ＭＩＰ）１１３）−伝送装置（ＭＩＰ）１１０（伝送装置（ＭＩＰ）１１４）の間を区間（ｄ）とし、伝送装置（ＭＩＰ）１１０（伝送装置（ＭＩＰ）１１４）−伝送装置（ＭＥＰ）１０６の間を区間（ｅ）とする。
【００６８】
図７は、区間（ｂ）における遅延量算出例について示している。すなわち、伝送装置（ＭＩＰ）１０７が送信時刻Ａを挿入したＣＣＭフレームＡが伝送装置（ＭＩＰ）１０８に到達した時刻（受信時刻）Ａとした場合に、遅延量は、受信時刻Ａ−送信時刻Ａとなる。同様に、つぎに、伝送装置（ＭＩＰ）１０８が受信したＣＣＭフレームＢの遅延量は、受信時刻Ｂ−送信時刻Ｂとなる。ＣＣＭフレームＣ、ＣＣＭフレームＤも同様である。
【００６９】
このようにして、ＣＣＭフレームを受信するごとに、遅延量算出部６１４が遅延量を算出し遅延量情報記憶部６１５が、算出された遅延量に関する情報を記憶することができる。これは、区間（ｂ）だけでなく、区間（ａ）、区間（ｃ）〜（ｅ）においても、区間（ｂ）と同様である。したがって、ＰＴＮ内においてもＰＴＮ間でも遅延量を取得できるので、ＯｐＳ装置１２０を用いなくても、伝送装置１０５〜１１４内の処理のみによって、遅延量に基づく各区間における障害予兆を判断することができる。
【００７０】
（遅延量と障害予兆との関係）
つぎに、算出された遅延量と、障害予兆との関係について説明する。一般的なＬ２スイッチを用いた伝送装置においては、伝送すべきパケットごとに優先度（ＡＢＳ、Ｈ、Ｍ、Ｌ）を設けており、それによってパケット優先処理を実施している。そして、ＣＣＭフレームは、最高優先のＡＢＳ（遅延最小）として伝送される。
【００７１】
したがって、伝送装置内におけるハードウエアの故障や、その他の障害が発生することによって、メモリからの読出し性能が劣化した場合に、ＣＣＭフレームを含むパケットがメモリに蓄積されることで、送信遅延が徐々に増加することになる。そして最終的には、メモリの最大容量を超えてパケットエラーとなる。
【００７２】
また、伝送装置内のメモリの故障により使用可能なメモリ領域が減少した場合に、パケット読出しまでの時間が増加し、それにともない、送信遅延が徐々に増加することになる。その後、メモリの故障エリアが拡大し、最終的に使用可能なメモリの最大容量を超えるとパケットエラーとなる。
【００７３】
このように、最終的にパケットエラーが生じる前に、まず送信遅延が発生し、その送信遅延が徐々に増加する。したがって、各伝送装置間における遅延量を算出することで、この送信遅延に基づいて障害予兆を判断することによって、実際にパケットエラーが発生する前に、その予兆を事前に察知することができるものである。
【００７４】
（伝送装置の処理手順）
図８は、実施の形態にかかる伝送装置におけるＣＣＭの送信処理の一例を示すフローチャートである。図８のフローチャートは、たとえば図４に示した伝送装置（ＭＥＰ）１０５におけるＣＣＭの送信処理の一例を示している。図８のフローチャートにおいて、まず、ＣＣＭフレーム送信タイミングになったか否かを判断する（ステップＳ８０１）。
【００７５】
ＣＣＭフレーム送信タイミングはＭＥＰ間の取り決めで決まっている。そのＣＣＭフレーム送信タイミングになるのを待って（ステップＳ８０１：Ｎｏ）、ＣＣＭフレーム送信タイミングになった場合（ステップＳ８０１：Ｙｅｓ）は、装置内時刻管理部４３２から送信時刻を取得する（ステップＳ８０２）。
【００７６】
そして、取得した送信時刻を、生成されたＣＣＭフレームに挿入し（ステップＳ８０３）、送信時刻が挿入されたＣＣＭフレームを次段の伝送装置（図４に示した伝送装置（ＭＥＰ）１０５にあっては、次段の伝送装置は伝送装置（ＭＩＰ）１０７）へ送信する（ステップＳ８０４）。その後、ステップＳ８０１へ戻って、つぎのＣＣＭフレーム送信タイミングを待つ。
【００７７】
図９は、実施の形態にかかる伝送装置におけるＣＣＭの受信処理の一例を示すフローチャートである。図９のフローチャートは、たとえば図５に示した伝送装置（ＭＥＰ）１０６、あるいは、図６に示した伝送装置（ＭＩＰ）１０７〜１１４におけるＣＣＭの送信処理の一例を示している。
【００７８】
図９のフローチャートにおいて、前段の伝送装置からパケットを受信したか否かを判断する（ステップＳ９０１）。ここで、パケットを受信するのを待って（ステップＳ９０１：Ｎｏ）、パケットを受信した場合（ステップＳ９０１：Ｙｅｓ）は、受信したパケットの中からＣＣＭフレームを抽出する（ステップＳ９０２）。そして、受信時刻を装置内時刻管理部５３２または６３２から取得する（ステップＳ９０３）。
【００７９】
つぎに、ＣＣＭフレームから送信時刻を抽出する（ステップＳ９０４）。そして、ステップＳ９０３において取得した受信時刻から、ステップＳ９０４において抽出した送信時刻を減算して（受信時刻−送信時刻）、遅延量を算出し（ステップＳ９０５）、その遅延量（に関する情報）を蓄積する（ステップＳ９０６）。
【００８０】
そして、遅延量がしきい値を超えたか否かを判断する（ステップＳ９０７）。遅延量がしきい値を所定回数超えたか否か、あるいは、遅延量がしきい値を連続して所定回数超えたか否かを判断するようにしてもよい。ここで、遅延量がしきい値を超えていない場合（ステップＳ９０７：Ｎｏ）は、ステップＳ９０１へ戻り、その後、ステップＳ９０１以降の処理を繰り返しおこなう。
【００８１】
一方、ステップＳ９０７において、遅延量がしきい値を超えた場合（ステップＳ９０７：Ｙｅｓ）は、障害予兆と判断し（ステップＳ９０８）、運用系／非運用系の切替えを実行する（ステップＳ９０９）。その後、ステップＳ９０１へ戻る。
【００８２】
図９のフローチャートにおいて示した処理は、各伝送装置１０６〜１１４において個別におこなわれ、いずれかの伝送装置において障害予兆と判断された場合は、個別に運用系／非運用系の切替えが実行される。また、図９のフローチャートにおいて示した処理は、運用系の伝送装置（ＭＩＰ）１０７〜１１０だけでなく、現時点で非運用系の伝送装置（ＭＩＰ）１１１〜１１４においても、同様の処理がおこなわれている。そして、非運用系の伝送装置において障害予兆を判断しているので、切替え実行の際に、その切替の適正についても判断することができる。
【００８３】
図１０は、実施の形態にかかる伝送装置におけるＣＣＭの送信処理の別の一例を示すフローチャートである。図１０のフローチャートは、たとえば図５に示した伝送装置（ＭＥＰ）１０６、あるいは、図６に示した伝送装置（ＭＩＰ）１０７〜１１４におけるＣＣＭの送信処理の一例を示している。
【００８４】
図１０のフローチャートにおいて、前段の伝送装置からパケットを受信したか否かを判断する（ステップＳ１００１）。ここで、パケットを受信するのを待って（ステップＳ１００１：Ｎｏ）、パケットを受信した場合（ステップＳ１００１：Ｙｅｓ）は、受信したパケットの中からＣＣＭフレームを抽出する（ステップＳ１００２）。そして、装置内時刻管理部５３２または６３２から送信時刻を取得する（ステップＳ１００３）。
【００８５】
そして、取得した送信時刻を、抽出されたＣＣＭフレームに挿入し（ステップＳ１００４）、送信時刻が挿入されたＣＣＭフレームを次段の伝送装置（たとえば、図４に示した伝送装置（ＭＥＰ）１０５にあっては、次段の伝送装置は伝送装置（ＭＩＰ）１０７）へ送信する（ステップＳ１００５）。その後、ステップＳ１００１へ戻って、つぎのＣＣＭフレーム送信タイミングを待つ。
【００８６】
以上のように、実施の形態にかかる伝送システム、伝送装置および伝送方法によれば、前段の伝送装置において第１の時刻（前段の伝送装置から自装置への送信時刻）が挿入された監視フレーム（ＣＣＭフレーム）を当該前段の伝送装置から受信し、監視フレームを受信した第２の時刻（受信時刻）を検出し、監視フレームから第１の時刻を抽出し、第１の時刻と第２の時刻とに基づいて、遅延量を算出し、遅延量に基づいて、運用系と非運用系の切替えを実行するか否かを決定するものである。
【００８７】
これにより、主信号系に障害が発生する前に障害の予兆を検知でき、その障害の予兆に基づいて運用系／非運用系の切替えをおこなうことで、主信号の影響をより短時間に抑えることができる。
【００８８】
そして、監視フレームに第３の時刻（自装置から次段の伝送装置への送信時刻）を挿入し、第３の時刻が挿入された監視フレームを次段の伝送装置へ送信するものである。これにより、次段の伝送装置は、自装置からの遅延量に基づいて、障害の予兆を判断することができる。このように、各伝送装置は、前段の伝送装置からの遅延量に基づいて、独自に障害の予兆を判断することができる。したがって、障害の予兆の判断において伝送装置間の制御をおこなうＯｐＳ装置１２０を用いる必要がないので、その分、伝送システム全体の負荷を軽減することができる。
【００８９】
具体的には、遅延量が所定のしきい値を超えた場合に、運用系と非運用系の切替えを実行する。これにより、より厳密に障害の予兆を判断することができる。または、遅延量に関する情報を記憶し、記憶された遅延量に関する情報に基づいて、遅延量が所定のしきい値を超えた回数が所定回に達した場合に、運用系と非運用系の切替えを実行する。または、遅延量に関する情報を記憶し、記憶された遅延量に関する情報に基づいて、遅延量が所定のしきい値を超えた回数が連続して所定回に達した場合に、運用系と非運用系の切替えを実行することを決定する。これらにより、遅延量の増加が、一過性の現象なのか、障害の予兆なのかを峻別し、無用な運用系と非運用系の切替えを抑制することができる。
【００９０】
このように、ＣＣＭフレームの送受信のみでは検出できない障害の予兆をより確実に判断し、その障害の予兆に基づいて運用系／非運用系の切替えをおこなうことができるので、主信号の影響を極力抑えることで、伝送システムのネットワーク全体における通信の信頼性を向上することができる。
【００９１】
上述した実施の形態に関し、さらに以下の付記を開示する。
【００９２】
(付記１）第１の伝送装置と第２の伝送装置とを含み、運用系と非運用系の冗長構成を有する伝送システムであって、
前記第１の伝送装置が、
生成された監視フレームに第１の時刻を挿入する挿入部と、
前記第１の時刻が挿入された監視フレームを前記第２の伝送装置へ送信する送信部と、
を有し、
前記第２の伝送装置が、
前記第１の時刻が挿入された監視フレームを前記第１の伝送装置から受信する受信部と、
前記監視フレームを受信した第２の時刻を検出する検出部と、
前記監視フレームから前記第１の時刻を抽出する抽出部と、
前記第１の時刻と前記第２の時刻とに基づいて、遅延量を算出する算出部と、
前記遅延量に基づいて、前記運用系と前記非運用系の切替えを実行するか否かを決定する決定部と、
を有することを特徴とする伝送システム。
【００９３】
（付記２）前記第２の伝送装置の前記決定部は、前記遅延量が所定のしきい値を超えた場合に、前記運用系と前記非運用系の切替えを実行することを決定することを特徴とする付記１に記載の伝送システム。
【００９４】
（付記３）前記第２の伝送装置は、前記遅延量に関する情報を記憶する記憶部を有し、
前記第２の伝送装置の前記決定部は、前記記憶部に記憶された遅延量に関する情報に基づいて、前記遅延量が所定のしきい値を超えた回数が所定回に達した場合に、前記運用系と前記非運用系の切替えを実行することを決定することを特徴とする付記１に記載の伝送システム。
【００９５】
（付記４）前記第２の伝送装置は、前記遅延量に関する情報を記憶する記憶部を有し、
前記第２の伝送装置の前記決定部は、前記記憶部に記憶された遅延量に関する情報に基づいて、前記遅延量が所定のしきい値を超えた回数が連続して所定回に達した場合に、前記運用系と前記非運用系の切替えを実行することを決定することを特徴とする付記１に記載の伝送システム。
【００９６】
（付記５）第１の伝送装置と第２の伝送装置と第３の伝送装置とを含み、運用系と非運用系の冗長構成を有する伝送システムであって、
前記第１の伝送装置が、
生成された監視フレームに第１の時刻を挿入する挿入部と、
前記第１の時刻が挿入された監視フレームを前記第２の伝送装置へ送信する送信部と、
を有し、
前記第２の伝送装置が、
前記第１の時刻が挿入された監視フレームを前記第１の伝送装置から受信する受信部と、
前記監視フレームを受信した第２の時刻を検出する検出部と、
前記監視フレームから前記第１の時刻を抽出する抽出部と、
前記第１の時刻と前記第２の時刻とに基づいて、遅延量を算出する算出部と、
前記遅延量に基づいて、前記運用系と前記非運用系の切替えを実行するか否かを決定する決定部と、
前記監視フレームに第３の時刻を挿入する挿入部と、
前記第３の時刻が挿入された監視フレームを前記第３の伝送装置へ送信する送信部と、
を有し、
前記第３の伝送装置が、
前記第３の時刻が挿入された監視フレームを前記第２の伝送装置から受信する受信部と、
前記監視フレームを受信した第４の時刻を検出する検出部と、
前記監視フレームから前記第３の時刻を抽出する抽出部と、
前記第３の時刻と前記第４の時刻とに基づいて、遅延量を算出する算出部と、
前記遅延量に基づいて、前記運用系と前記非運用系の切替えを実行するか否かを決定する決定部と、
を有することを特徴とする伝送システム。
【００９７】
（付記６）前記監視フレームは、ＣＣＭ（Ｃｏｎｔｉｎｕｉｔｙ  Ｃｈｅｃｋ  Ｍｅｓｓａｇｅｓ）フレームであることを特徴とする付記１〜５のいずれか一つに記載の伝送システム。
【００９８】
（付記７）運用系と非運用系の冗長構成を有する伝送システムにおける伝送装置であって、
前段の伝送装置において第１の時刻が挿入された監視フレームを当該前段の伝送装置から受信する受信部と、
前記監視フレームを受信した第２の時刻を検出する検出部と、
前記監視フレームから前記第１の時刻を抽出する抽出部と、
前記第１の時刻と前記第２の時刻とに基づいて、遅延量を算出する算出部と、
前記遅延量に基づいて、前記運用系と前記非運用系の切替えを実行するか否かを決定する決定部と、
を有することを特徴とする伝送装置。
【００９９】
（付記８）前記決定部は、前記遅延量が所定のしきい値を超えた場合に、前記運用系と前記非運用系の切替えを実行することを決定することを特徴とする付記７に記載の伝送装置。
【０１００】
（付記９）前記遅延量に関する情報を記憶する記憶部を有し、
前記決定部は、前記記憶部に記憶された遅延量に関する情報に基づいて、前記遅延量が所定のしきい値を超えた回数が所定回に達した場合に、前記運用系と前記非運用系の切替えを実行することを決定することを特徴とする付記７に記載の伝送装置。
【０１０１】
（付記１０）前記遅延量に関する情報を記憶する記憶部を有し、
前記決定部は、前記記憶部に記憶された遅延量に関する情報に基づいて、前記遅延量が所定のしきい値を超えた回数が連続して所定回に達した場合に、前記運用系と前記非運用系の切替えを実行することを決定することを特徴とする付記７に記載の伝送装置。
【０１０２】
（付記１１）前記監視フレームに第３の時刻を挿入する挿入部と、
前記第３の時刻が挿入された監視フレームを次段の伝送装置へ送信する送信部と、
を有することを特徴とする付記７〜１０のいずれか一つに記載の伝送装置。
【０１０３】
（付記１２）前記監視フレームは、ＣＣＭ（Ｃｏｎｔｉｎｕｉｔｙ  Ｃｈｅｃｋ  Ｍｅｓｓａｇｅｓ）フレームであることを特徴とする付記７〜１１のいずれか一つに記載の伝送装置。
【０１０４】
（付記１３）運用系と非運用系の冗長構成を有する伝送システムにおいて伝送装置間で監視フレームを伝送する伝送方法であって、
前記伝送装置のコンピュータが、
前段の伝送装置において第１の時刻が挿入された監視フレームを当該前段の伝送装置から受信し、
前記監視フレームを受信した第２の時刻を検出し、
前記監視フレームから前記第１の時刻を抽出し、
前記第１の時刻と前記第２の時刻とに基づいて、遅延量を算出し、
前記遅延量に基づいて、前記運用系と前記非運用系の切替えを実行するか否かを決定することを特徴とする伝送方法。
【０１０５】
（付記１４）前記伝送装置のコンピュータが、
前記遅延量が所定のしきい値を超えた場合に、前記運用系と前記非運用系の切替えを実行することを決定することを特徴とする付記１３に記載の伝送方法。
【０１０６】
（付記１５）前記伝送装置のコンピュータが、
前記遅延量に関する情報を記憶し、記憶された遅延量に関する情報に基づいて、前記遅延量が所定のしきい値を超えた回数が所定回に達した場合に、前記運用系と前記非運用系の切替えを実行することを決定することを特徴とする付記１３に記載の伝送方法。
【０１０７】
（付記１６）前記伝送装置のコンピュータが、
前記遅延量に関する情報を記憶し、記憶された遅延量に関する情報に基づいて、前記遅延量が所定のしきい値を超えた回数が連続して所定回に達した場合に、前記運用系と前記非運用系の切替えを実行することを決定することを特徴とする付記１３に記載の伝送方法。
【０１０８】
（付記１７）前記伝送装置のコンピュータが、
前記監視フレームに第３の時刻を挿入し、
前記第３の時刻が挿入された監視フレームを次段の伝送装置へ送信することを特徴とする付記１３〜１６のいずれか一つに記載の伝送方法。
【０１０９】
（付記１８）前記監視フレームは、ＣＣＭ（Ｃｏｎｔｉｎｕｉｔｙ  Ｃｈｅｃｋ  Ｍｅｓｓａｇｅｓ）フレームであることを特徴とする付記１３〜１７のいずれか一つに記載の伝送装置。
【符号の説明】
【０１１０】
１００  伝送システム
１０１〜１０４  ＰＴＮ（Ｐａｃｋｅｔ  ｔｒａｎｓｐｏｒｔ  ｎｅｔｗａｏｒｋｓ）
１０５、１０６  伝送装置（ＭＥＰ）
１０７〜１１４  伝送装置（ＭＩＰ）
１１５〜１１８  スイッチ（ＳＷ）
１２０  ＯｐＳ（Ｏｐｅｒａｔｉｏｎ  Ｓｙｓｔｅｍ）装置
２００  回線カード
２０１  ＣＰＵ（Ｃｅｎｔｒａｌ  Ｐｒｏｃｅｓｓｉｎｇ  Ｕｎｉｔ）
２０２  Ｌ２スイッチ
２０３  入力インタフェース
２０４  出力インタフェース
４０２、６０２  送信処理部
４０３、５０３、６０３  装置管理部
４１０  ＣＣＭ（Ｃｏｎｔｉｎｕｉｔｙ  Ｃｈｅｃｋ  Ｍｅｓｓａｇｅｓ）フレーム生成部
４１１、６２１  時刻挿入部
４１２、６２２  ＣＣＭフレーム送信部
４３１、５３１、６３１  装置内運用系切替部
４３２、５３２、６３２  装置内時刻管理部
４４１、５４１、６４１  装置間運用系切替部
４４２、５４２、６４２  装置間時刻管理部
５０１、６０１  受信処理部
５１１、６１１  ＣＣＭフレーム受信部
５１２、６１２  受信時刻検出部
５１３、６１３  挿入時刻抽出部
５１４、６１４  遅延量算出部
５１５、６１５  遅延量情報記憶部
５１６、６１６  障害予兆判断部
【図１】
2017220832.tif 000003
【図２】
2017220832.tif 000004
【図３Ａ】
2017220832.tif 000005
【図３Ｂ】
2017220832.tif 000006
【図３Ｃ】
2017220832.tif 000007
【図４】
2017220832.tif 000008
【図５】
2017220832.tif 000009
【図６】
2017220832.tif 000010
【図７】
2017220832.tif 000011
【図８】
2017220832.tif 000012
【図９】
2017220832.tif 000013
【図１０】
2017220832.tif 000014